(57)【要約】【課題】ディスプレイに表示されている広告を見て、広告内容に興味を抱いた者と広告主との間に通信回線を接続し、当該通信回線を介して、広告の詳細内容を提供すること【解決手段】本発明のにかかる広告配信システムは、広告コンテンツと、当該広告コンテンツの広告主に対するユーザのアクセス動作を促すアクセス先情報と、を含む画像情報を生成する生成部１１と、当該画像情報を配信する配信部１２と、を有するコンテンツ配信装置１０と、当該画像情報を表示するユーザ装置２０において、アクセス先情報を選択する操作が行われることにより、テレビ電話回線が接続され、当該テレビ電話回線を介して前記広告コンテンツに関する詳細情報をユーザ装置２０へ配信する広告主通信装置３０と、を備えるものである。【選択図】図１
2011118804.tif 000002
【特許請求の範囲】
【請求項１】
それぞれがネットワークを介してユーザ通信装置と接続されるコンテンツ配信装置と広告主通信装置とを備えた広告配信システムであって、
前記コンテンツ配信装置は、
広告コンテンツと、広告主に対するユーザのアクセス動作を促すアクセス先情報とを含む広告コンテンツ画像情報と、前記アクセス先情報をユーザが選択したときに前記広告主通信装置に対してテレビ電話回線を接続するための接続情報と、を含む広告情報を生成する生成部と、当該広告情報を配信する配信部と、を備え、
前記広告主通信装置は、
前記広告コンテンツ画像情報を表示するユーザ通信装置において、前記アクセス先情報を選択する操作に応じて前記接続情報を用いて当該ユーザ通信装置と当該広告主通信装置間にテレビ電話回線が接続された場合に、当該テレビ電話回線を介して前記広告コンテンツに関する詳細情報を当該ユーザ通信装置へ配信する、広告配信システム。
【請求項２】
それぞれがネットワークを介してユーザ通信装置と接続されるコンテンツ配信装置と広告主通信装置とを備えた広告配信システムであって、
前記コンテンツ配信装置は、
広告コンテンツと、前記広告主通信装置に対してテレビ電話回線を接続するための接続情報とを含む広告情報を生成する生成部と、当該広告情報を配信する配信部と、を備え、
前記広告主通信装置は、
前記広告コンテンツを表示するユーザ通信装置において、予め定められたスケジュールに従い前記広告情報に含まれる前記接続情報を用いて当該ユーザ通信装置と当該広告主通信装置間にテレビ回線が接続された場合に、当該テレビ電話回線を介して前記広告コンテンツに関する詳細情報を当該ユーザ通信装置へ配信する、広告配信システム。
【請求項３】
それぞれがネットワークを介してユーザ通信装置と接続されるコンテンツ配信装置と広告主通信装置とを備えた広告配信システムであって、
前記コンテンツ配信装置は、広告コンテンツを含む広告情報を配信し、
前記広告主通信装置は、
前記コンテンツ配信装置から配信された広告コンテンツを表示しているユーザ通信装置に対する接続情報を用いて、当該ユーザ通信装置と当該広告主通信装置間にテレビ回線を接続した場合に、当該テレビ電話回線を介して前記広告コンテンツに関する詳細情報を当該ユーザ通信装置へ配信する、広告配信システム。
【請求項４】
前記コンテンツ配信システムが前記広告情報を配信する通信網は、前記広告主通信装置が前記広告コンテンツに関する詳細情報を配信するテレビ電話回線を有する通信網とは異なる通信網である、請求項１〜３のいずれか１項に記載の広告配信システム。
【請求項５】
前記コンテンツ配信装置における生成部は、前記広告情報を複数生成し、
前記コンテンツ配信装置における配信部は、前記複数の広告情報を、異なるタイミングに送信する、請求項１〜４のいずれか１項に記載の広告配信システム。
【請求項６】
前記コンテンツ配信装置は、前記ユーザ通信装置と前記広告主通信装置との間にテレビ電話回線が接続されている間は、前記広告情報の配信を中断し、当該テレビ電話回線が切断された場合に、当該広告情報の配信を再開する、請求項５に記載の広告配信システム。
【請求項７】
前記広告主通信装置は、前記テレビ電話回線を介して、予め蓄積された前記広告コンテンツに関する詳細情報を前記ユーザ通信装置へ配信する、請求項１〜６のいずれか１項に記載の広告配信システム。
【請求項８】
前記広告主通信装置は、前記テレビ電話回線を介して、リアルタイムに更新される前記広告コンテンツに関する詳細情報を前記ユーザ通信装置へ配信する、請求項１〜６のいずれか１項に記載の広告配信システム。
【請求項９】
広告コンテンツと、広告主に対するユーザのアクセス動作を促すアクセス先情報と、を含む広告コンテンツ画像情報と、前記アクセス先情報をユーザが選択したときに前記広告主が有する広告主通信装置に対してテレビ電話回線を接続するための接続情報と、を含む広告情報を生成するステップと、
前記広告情報を配信するステップと、
前記広告コンテンツ画像情報を表示するユーザ通信装置において、前記アクセス先情報を選択する操作に応じて前記接続情報を用いて当該ユーザ通信装置と前記広告主通信装置間にテレビ電話回線を接続するステップと、
前記テレビ電話回線を介して前記広告コンテンツに関する詳細情報を前記ユーザ通信装置へ配信するステップと、を備える広告配信方法。
【請求項１０】
前記広告情報を生成するステップは、広告情報を複数生成し、
前記広告情報を配信するステップは、前記複数の広告情報を、異なるタイミングに送信する、請求項９記載の広告配信方法。
【請求項１１】
前記ユーザ通信装置と前記広告主通信装置との間にテレビ電話回線を接続するステップにより、テレビ電話回線が接続された後は、前記広告情報の配信を中断するステップと、
前記ユーザ通信装置と前記広告主通信装置との間のテレビ電話回線が切断された後に、前記広告情報の配信を再開するステップ、とをさらに備える請求項９又は１０記載の広告配信方法。
【発明の詳細な説明】
【技術分野】
【０００１】
本発明は広告配信システム及び広告配信方法に関し、特にネットワークを介して広告コンテンツを配信する広告配信システム及び広告配信方法に関する。
【背景技術】
【０００２】
近年、企業等における宣伝広告の形態として、街頭もしくはビル等に商品名もしくは企業名等を記載した看板を設置する形態以外に、デジタルデータを表示するディスプレイを設置し、このディスプレイに広告を表示するデジタルサイネージと呼ばれる広告媒体を用いた形態が増加している。ここで、ディスプレイは、街角等に設置されているディスプレイのみならず、携帯電話端末又はパーソナルコンピュータに用いられるディスプレイ、も含まれる。デジタルサイネージを用いた広告は、メモリに保存された複数の広告データを、一定時間ごとに切り替えてディスプレイに表示する。また、あらかじめメモリに保存しておくのではなく、コンテンツ配信装置から受信した広告データをディスプレイに表示してもよい。図１０は、コンテンツ配信装置１１０とコンテンツ表示端末１２０とが、ネットワーク１３０を介して接続されている状態を示している。コンテンツ表示端末１２０は、例えばインターネット等により構成されるネットワーク１３０を介して、コンテンツ配信装置１１０から広告データを取得する。
【０００３】
このようにしてディスプレイに表示される広告に興味を抱いた広告閲覧者は、広告に関する詳細な情報を知りたい場合、広告主の連絡先を調べて連絡を行うか、もしくは、広告に表示されている連絡先を控えて、電話又はインターネットアクセス等を行う。
【０００４】
しかし、広告閲覧者には、広告主の連絡先を調査したり、連絡先を控えたりする手間が発生する。そのため、広告閲覧者は、結局広告主にアクセスをしない場合が多く、また、広告主は、商品を販売する機会を失うという問題があった。
【０００５】
そこで、特許文献１は、広告主と広告閲覧者との間に通信回線を接続することにより、広告主と広告閲覧者とが双方向通信を行うことを可能とする技術を開示している。例えば、はじめに、広告が表示されているディスプレイの近傍に位置している者を、広告を閲覧している者とみなして、センサーにより検出する。次に、広告を閲覧している者を検出した装置（例えば、ディスプレイ）は、広告主に対して、ディスプレイを閲覧している者がいることを通知し、その者と通信を行うことを促すメッセージを通知する。メッセージを受けた広告主は、広告閲覧者との間に通信回線を接続して、双方向通信を行う。これにより、広告主からの一方的な情報配信を行うのみではなく、広告閲覧者の意見等も収集できる双方向通信を行うことを可能としている。
【先行技術文献】
【特許文献】
【０００６】
【特許文献１】特開２００６−７１８５２号公報
【発明の概要】
【発明が解決しようとする課題】
【０００７】
しかし、特許文献１に開示されている技術においては、広告閲覧者が実際にディスプレイに表示されている広告に興味を抱いているか否かが分からないため、広告主は双方向通信を行ったとしても、広告閲覧者から有益な情報を収集できない場合もある。また、センサーにより検出されない位置から広告を閲覧している者又はセンサーを搭載していない装置において広告を閲覧している者がいる場合に、広告内容に興味を持った者が広告主に対してアクセスして、広告内容の詳細な内容を確認することができなかった。
【０００８】
本発明は、このような問題点を解決するためになされたものであり、ディスプレイに表示されている広告を見て、広告内容に興味を抱いた者と広告主との間に通信回線を接続し、当該通信回線を介して、広告の詳細内容を提供することができる広告配信システム及び広告配信方法を提供することを目的とする。
【課題を解決するための手段】
【０００９】
本発明の第１の態様にかかる広告配信システムは、それぞれがネットワークを介してユーザ通信装置と接続されるコンテンツ配信装置と広告主通信装置とを備えた広告配信システムであって、前記コンテンツ配信装置は、広告コンテンツと、広告主に対するユーザのアクセス動作を促すアクセス先情報とを含む広告コンテンツ画像情報と、前記アクセス先情報をユーザが選択したときに前記広告主通信装置に対してテレビ電話回線を接続するための接続情報と、を含む広告情報を生成する生成部と、当該広告情報を配信する配信部と、を備え、前記広告主通信装置は、前記広告コンテンツ画像情報を表示するユーザ通信装置において、前記アクセス先情報を選択する操作に応じて前記接続情報を用いて当該ユーザ通信装置と当該広告主通信装置間にテレビ電話回線が接続された場合に、当該テレビ電話回線を介して前記広告コンテンツに関する詳細情報を当該ユーザ通信装置へ配信する、ものである。
【００１０】
本発明の第２の態様にかかる広告配信システムは、それぞれがネットワークを介してユーザ通信装置と接続されるコンテンツ配信装置と広告主通信装置とを備えた広告配信システムであって、前記コンテンツ配信装置は、広告コンテンツと、前記広告主通信装置に対してテレビ電話回線を接続するための接続情報とを含む広告情報を生成する生成部と、当該広告情報を配信する配信部と、を備え、前記広告主通信装置は、前記広告コンテンツを表示するユーザ通信装置において、予め定められたスケジュールに従い前記広告情報に含まれる前記接続情報を用いて当該ユーザ通信装置と当該広告主通信装置間にテレビ回線が接続された場合に、当該テレビ電話回線を介して前記広告コンテンツに関する詳細情報を当該ユーザ通信装置へ配信する、ものである。
【００１１】
本発明の第３の態様にかかる広告配信システムは、それぞれがネットワークを介してユーザ通信装置と接続されるコンテンツ配信装置と広告主通信装置とを備えた広告配信システムであって、前記コンテンツ配信装置は、広告コンテンツを含む広告情報を配信し、前記広告主通信装置は、前記コンテンツ配信装置から配信された広告コンテンツを表示しているユーザ通信装置に対する接続情報を用いて、当該ユーザ通信装置と当該広告主通信装置間にテレビ回線を接続した場合に、当該テレビ電話回線を介して前記広告コンテンツに関する詳細情報を当該ユーザ通信装置へ配信する、ものである。
【００１２】
本発明の第４の態様にかかる広告配信方法は、広告コンテンツと、広告主に対するユーザのアクセス動作を促すアクセス先情報と、を含む広告コンテンツ画像情報と、前記アクセス先情報をユーザが選択したときに前記広告主が有する広告主通信装置に対してテレビ電話回線を接続するための接続情報と、を含む広告情報を生成するステップと、前記広告情報を配信するステップと、前記広告コンテンツ画像情報を表示するユーザ通信装置において、前記アクセス先情報を選択する操作に応じて前記接続情報を用いて当該ユーザ通信装置と前記広告主通信装置間にテレビ電話回線を接続するステップと、前記テレビ電話回線を介して前記広告コンテンツに関する詳細情報を前記ユーザ通信装置へ配信するステップと、を備えるものである。
【発明の効果】
【００１３】
本発明により、ディスプレイに表示されている広告を見て、広告内容に興味を抱いた者と広告主との間に通信回線を接続し、当該通信回線を介して、広告の詳細内容を提供することができる広告配信システム及び広告配信方法を提供することができる。
【図面の簡単な説明】
【００１４】
【図１】実施の形態１にかかる広告配信システムの構成図である。
【図２】実施の形態１にかかるユーザ通信装置に表示される画像図である。
【図３】実施の形態１にかかるユーザ通信装置に表示される画像図である。
【図４】実施の形態１にかかる広告配信システムのシーケンス図である。
【図５】実施の形態２にかかる広告配信システムのシーケンス図である。
【図６】実施の形態３にかかる広告配信システムのシーケンス図である。
【図７】実施の形態３にかかるユーザ通信装置に表示される画像図である。
【図８】実施の形態４にかかる広告配信システムのシーケンス図である。
【図９】実施の形態５にかかる広告配信システムの構成図である。
【図１０】一般的な広告配信システムの構成図である。
【発明を実施するための形態】
【００１５】
（実施の形態１）
以下、図面を参照して本発明の実施の形態について説明する。図１を用いて、本発明の実施の形態１にかかる広告配信システムについて説明する。広告配信システムは、コンテンツ配信装置１０と、ユーザ通信装置２０と、広告主通信装置３０とを備えている。また、コンテンツ配信装置１０と、ユーザ通信装置２０と、広告主通信装置３０は、ネットワーク４０を介して接続されている。
【００１６】
コンテンツ配信装置１０は、生成部１１と、配信部１２とを有している。コンテンツ配信装置１０は、サーバ装置等により構成される。生成部１１は、広告コンテンツと、広告主に対するユーザのアクセス動作を促すアクセス先情報とを含む広告コンテンツ画像情報と、アクセス先情報をユーザが選択したときに広告主通信装置に対してテレビ電話回線を接続するための接続情報と、を含む広告情報を生成する。例えば、図２に示されるように、ディスプレイへは、広告したい製品を表示するとともに、「ここへ接続」等の、アクセス先情報を示す文字が表示される。広告の閲覧者は、この文字を選択することにより、広告主通信装置のアクセス先を示す電話番号へのアクセスを行わせるようにしてもよい。
【００１７】
配信部１２は、生成部１１により生成された広告情報を、ネットワーク４０を介してユーザ通信装置２０へ配信する。広告情報が配信されるユーザ通信装置２０は、コンテンツ配信装置１０において予め登録されているユーザ通信装置２０であってもよく、所定の位置に存在することが検出された任意の複数のユーザ通信装置２０であってもよい。たとえば、配信部１２は、移動通信網の所定の基地局又は交換機に在圏する任意の移動通信装置に対して、画像情報を配信してもよい。
【００１８】
ユーザ通信装置２０は、ネットワーク４０を介して、コンテンツ配信装置１０から広告情報を取得する。ユーザ通信装置２０は、ディスプレイを有する携帯電話もしくはＰＤＡ（Personal Digital Assistant）又は操作しているアプリケーション等をディスプレイに表示するパーソナルコンピュータ等である。ユーザ通信装置２０の所有者は、広告情報に含まれる広告コンテンツを閲覧し、興味を抱いた場合は、広告コンテンツとともに表示されているアクセス先情報を選択する。ユーザ通信装置２０の所有者が、アクセス先情報を選択することにより、ユーザ通信装置２０と広告主通信装置３０との間にテレビ電話回線が接続される。
【００１９】
例えば、ユーザ通信装置２０は、ブラウザに関するアプリケーションを用いて、コンテンツ配信装置１０から配信される広告コンテンツ画像情報を表示する。ここで、アクセス先情報が選択されることにより、接続先情報である電話番号もしくはＵＲＬ（Uniform Resource Locator）等が、テレビ電話通信を制御するアプリケーションに引き渡される。テレビ電話に関するアプリケーションは、接続先情報に示されている接続先に対して、発信もしくは接続処理を行う。これにより、ユーザ通信装置２０と広告主通信装置３０との間にテレビ電話回線が接続される。
【００２０】
ユーザ通信装置２０の所有者は、ユーザ通信装置２０が備える入力デバイスを用いて、アクセス先を選択する操作を行う。これにより連絡先に対してアクセスをすることができる。アクセス先を選択する操作とは、例えば、携帯電話のディスプレイにアクセス先が表示されている場合には、数字キーもしくは十字キー等のボタンを押下する。ユーザ通信装置２０の所有者によってアクセス先を選択する操作が行われた場合、ユーザ通信装置２０と、広告主通信装置３０との間に、ネットワーク４０を介して、テレビ電話回線が接続される。
【００２１】
広告主通信装置３０は、ユーザ通信装置２０と広告主通信装置３０との間にテレビ電話回線が接続されると、テレビ電話回線を介して広告コンテンツに関する詳細情報をユーザ通信装置２０へ配信する。広告コンテンツに関する詳細情報は、当該広告コンテンツにおいて紹介している製品の詳細情報について予め作成していた動画データでもよく、もしくは、図３に示されるように、オペレータからユーザ通信装置２０の所有者に対して直接説明される情報のようにリアルタイムに更新される情報でもよい。
【００２２】
ネットワーク４０は、コンテンツ配信装置１０と、ユーザ通信装置２０と、広告主通信装置３０とを接続するネットワークであり、例えばインターネットにより構成される。コンテンツ配信装置１０は、インターネットを介したマルチキャスト通信もしくはユニキャスト通信等により画像情報を配信する。また、ユーザ通信装置２０と広告主通信装置３０との間のテレビ電話回線は、ＩＰ（Internet Protocol）電話を用いることにより、音声データ及び動画データの送受信を行うことができる。もしくは、ネットワーク４０は、移動通信事業者の提供する専用線であってもよい。この場合、移動通信事業者によって提供されているパケット通信サービスを用いて、コンテンツ配信装置１０から画像情報の配信を行い、テレビ電話サービスを用いて、広告主通信装置３０からユーザ通信装置２０へ、広告コンテンツの詳細情報を配信してもよい。
【００２３】
以上説明したように、本発明の実施の形態１にかかる広告配信システムを用いることにより、広告コンテンツに興味を抱いたユーザ通信装置２０の所有者は、広告主通信装置３０に対してテレビ電話通信を行うことにより、さらに詳細な情報を得ることができる。また、広告主は、広告コンテンツに興味を抱いたユーザからアクセスを受けることにより、直接そのユーザとコミュニケーションを行うことができるため、効率よく製品の宣伝等を行うことができる。
【００２４】
続いて、図４を用いて本発明の実施の形態１にかかる広告配信システムの処理の流れについて説明する。
【００２５】
はじめに、ユーザ通信装置２０は、ユーザ通信装置２０の所有者もしくは操作者により電源スイッチをＯＮされることにより、起動される（Ｓ１１）。次に、ユーザ通信装置２０は、コンテンツ配信装置１０に対して、起動通知を行う（Ｓ１２）。これにより、ユーザ通信装置２０がネットワーク４０へ接続され、広告情報の配信を受ける準備ができたことを通知する。次に、コンテンツ配信装置１０は、ユーザ通信装置２０へ、広告情報の配信を行う（Ｓ１３）。コンテンツ配信装置１０が、配信先を特定しないブロードキャスト通信により画像情報を配信している場合は、ユーザ通信装置２０を特定して、広告情報の配信を行うことはない。そのため、ユーザ通信装置２０からコンテンツ配信装置１０へ起動通知を行わなくても、ユーザ通信装置２０がネットワーク４０へ接続されるとともに、コンテンツ配信装置１０からユーザ通信装置２０に対して、広告情報の配信が行われる。
【００２６】
次に、ユーザ通信装置２０は、コンテンツ配信装置１０から配信された広告情報に含まれる広告コンテンツ画像情報をディスプレイに表示する（Ｓ１４）。これにより、ディスプレイには、広告コンテンツ及び広告主へのアクセス動作が促されるアクセス先情報が表示される。この時のユーザ通信装置２０は、所有者によるアクセス先への選択操作を受け付ける状態である。次に、ユーザ通信装置２０の所有者は、ディスプレイに表示されているアクセス先を選択することにより、広告主通信装置３０に対してテレビ電話通信による、発信を行う（Ｓ１５）。
【００２７】
次に、広告主通信装置３０は、ユーザ通信装置２０からのテレビ電話通信による発信に対して、着信処理を行う。これにより、ユーザ通信装置２０と広告主通信装置３０との間にテレビ電話回線が接続される（Ｓ１６）。テレビ電話回線が接続されることにより、ユーザ通信装置２０と広告主通信装置３０との間において、テレビ電話通信を行うことができる（Ｓ１７）。広告主通信装置３０は、テレビ電話通信を行うことにより、ユーザ通信装置２０に対して、広告コンテンツに関する詳細情報を配信する。
【００２８】
次に、ユーザ通信装置２０と広告主通信装置３０との間のテレビ電話通信が終了した場合、ユーザ通信装置２０は、広告主通信装置３０から配信された広告コンテンツに関する詳細情報の表示から、コンテンツ配信装置１０から配信される画像情報の表示もしくはユーザ通信装置２０の待ち受け画像等、あらかじめ登録されている画像表示へ、表示切替を行う（Ｓ１８）。
【００２９】
以上説明したように、本発明の実施の形態１にかかる広告配信システムを用いることにより、広告コンテンツに興味を抱いたユーザ通信装置の所有者が、広告主と直接コミュニケーションを行うことができる。広告主も、購買意欲を有する者と直接コミュニケーションを行うことができるため、効率的に製品の宣伝を行うことができる。
【００３０】
（実施の形態２）
続いて、図５を用いて本発明の実施の形態２にかかる広告配信システムの処理の流れについて説明する。広告配信システムの構成は、図１と同様であるため、説明を省略する。また、図５のステップＳ２１及びＳ２２の処理は図４のステップＳ１１及びＳ１２の処理と同様であるため、説明を省略する。
【００３１】
コンテンツ配信装置１０は、ステップＳ２２により起動通知を取得した後、ユーザ通信装置２０に対して、広告情報の配信を行う（Ｓ２３）。ユーザ通信装置２０は、配信された広告情報に含まれる広告コンテンツ画像情報をディスプレイに表示する（Ｓ２４）。コンテンツ配信装置１０は、広告情報を複数生成し、生成した広告情報を、ユーザ通信装置２０へ定期的に配信する。そのため、ステップＳ２３及びＳ２４の処理は繰り返し行われる。コンテンツ配信装置１０からユーザ通信装置２０への広告情報の配信間隔は、コンテンツ配信装置１０もしくはユーザ通信装置２０により設定を変更することができる。
【００３２】
ユーザ通信装置２０の所有者が、ディスプレイに表示された広告コンテンツに興味を抱いた場合、その広告コンテンツとともに表示されているアクセス先を選択して、テレビ電話通信による発信を行う（Ｓ２５）。また、ユーザ通信装置２０は、広告主通信装置３０に対して発信を行うとともに、コンテンツ配信装置１０に対しても、発信通知を行う（Ｓ２６）。発信通知を取得したコンテンツ配信装置１０は、ユーザ通信装置２０に対する広告情報の配信を中断する（Ｓ２７）。
【００３３】
次に、ユーザ通信装置２０から広告主通信装置３０に対して、テレビ電話通信による発信が行われた場合、広告主通信装置３０において着信処理が行われる（Ｓ２８）。広告主通信装置３０において着信処理が完了した後、ユーザ通信装置２０と広告主通信装置３０との間において、テレビ電話通信が開始される（Ｓ２９）。
【００３４】
次に、ユーザ通信装置２０と広告主通信装置３０との間のテレビ電話通信が終了した後、ユーザ通信装置２０は、コンテンツ配信装置１０に対して終了通知を行う（Ｓ３０）。終了通知を取得したコンテンツ配信装置１０は、ユーザ通信装置２０に対して、広告情報の配信を再開する（Ｓ３１）。ユーザ通信装置２０は、広告主通信装置３０から配信された広告コンテンツに関する詳細情報の表示から、コンテンツ配信装置１０から配信される広告情報の表示へ表示切替を行う（Ｓ３２）。ここで、上記説明においては、ユーザ通信装置２０からコンテンツ配信装置１０に対して、終了通知を行うことについて説明したが、広告主通信装置３０からコンテンツ配信装置１０に対して終了通知を行ってもよい。
【００３５】
以上説明したように、本発明の実施の形態２にかかる広告配信システムを用いることにより、ユーザ通信装置２０は、コンテンツ配信装置１０から配信される複数の広告コンテンツの中から、興味のある広告コンテンツを選択し、その広告主に対して連絡を行うことができる。また、ユーザ通信装置２０から広告主通信装置３０に対して、テレビ電話による発信を行ったことを契機として、コンテンツ配信装置１０からユーザ通信装置２０に対する画像情報の配信を中止し、テレビ電話による通信が終了した場合に、広告情報の配信を再開することにより、コンテンツ配信装置１０とユーザ通信装置２０との間における広告情報の配信に関する通信量を削減することができる。
【００３６】
（実施の形態３）
続いて、図６を用いて、本発明の実施の形態３にかかる広告配信システムの処理の流れについて説明する。広告配信システムの構成は、図１と同様であるため、説明を省略する。また、図６のステップＳ４１からＳ４４までの処理は図４のステップＳ１１からＳ１４までの処理と同様であるため、説明を省略する。
【００３７】
コンテンツ配信装置１０から配信された広告コンテンツを表示している間に、事前に指定された時間を経過した場合、ユーザ通信装置２０から広告主通信装置３０に対して自動発信を行う（Ｓ４５）。自動発信を行う場合は、コンテンツ配信装置１０から配信される広告情報に含まれる、広告主通信装置３０の接続情報を利用する。その後の処理は、図２のステップＳ１５〜１８と同様であるため、説明を省略する。事前に指定された時間とは、例えば、広告コンテンツを表示してから、ｎ分経過後等と、設定することができる。
【００３８】
以上説明したように、本発明の実施の形態３にかかる広告配信システムを用いることにより、ユーザ操作を伴わずに、ユーザ通信装置２０と広告主通信装置３０との間にテレビ電話回線を接続することができる。また、本発明の実施の形態３にかかる広告配信システムを用いることにより、次のような利用形態が考えられる。コンテンツ配信装置１０からユーザ通信装置２０に対して配信されている広告コンテンツにあわせた場所に、広告主通信装置３０を配置し、定期的に広告コンテンツに合わせたライブ映像（例えば図７のような風景を示す映像）を、広告主通信装置３０からユーザ通信装置２０に対して配信する。例えば、ある地域への旅行に関する広告をコンテンツ配信装置１０からユーザ通信装置２０に対して配信している際に、定期的に当該地域の様子を映し出すライブ映像を、広告主通信装置３０からユーザ通信装置２０に対して配信するようなサービスを提供することができる。
【００３９】
（実施の形態４）
続いて、図８を用いて本発明の実施の形態４にかかる広告配信システムの処理の流れについて説明する。広告配信システムの構成は、図１と同様であるため、説明を省略する。また、図８のステップＳ５１〜Ｓ５３及びＳ５５の処理は図４のステップＳ１１〜Ｓ１４までの処理と同様であるため、説明を省略する。
【００４０】
コンテンツ配信装置１０は、ステップＳ５３により、広告コンテンツをユーザ通信装置２０へ配信するとともに、広告主通信装置３０に対して、コンテンツ配信通知を行う（Ｓ５４）。コンテンツ配信通知を取得した広告主通信装置３０は、ユーザ通信装置２０において受信した広告コンテンツを表示している間に（Ｓ５５）、ユーザ通信装置２０に対して、テレビ電話通信による発信を行う（Ｓ５６）。次に、ユーザ通信装置２０は、広告主通信装置３０からの発信に対して、自動着信を実施する（Ｓ５７）。これにより、ユーザ通信装置２０と広告主通信装置３０との間のテレビ電話通信回線が接続される（Ｓ５８）。次に、ユーザ通信装置２０と広告主通信装置３０との間のテレビ電話による通信が終了した場合、ユーザ通信装置２０は、広告主通信装置３０から配信された広告コンテンツに関する詳細情報の表示から、コンテンツ配信装置１０から配信される広告情報の表示もしくはユーザ通信装置２０の待ち受け画像等、あらかじめ登録されている画像表示へ、表示切替を行う（Ｓ５９）。
【００４１】
広告主通信装置３０は、ステップＳ５６においてユーザ通信装置２０へ発信する場合に、コンテンツ配信装置１０が広告コンテンツを配信するユーザ通信装置２０の連絡先、つまり電話番号を予め保持している場合には、保持している電話番号に対してアクセスを行う。もしくは、ステップＳ５４の配信通知に、接続すべきユーザ通信装置２０の電話番号が含まれている場合は、配信通知によって通知された電話番号に対してアクセスを行う。
【００４２】
以上説明したように、本発明の実施の形態４にかかる広告配信システムを用いることにより、広告主側から、広告コンテンツを閲覧している者に対して、直接アクセスすることができる。また、本発明の実施の形態４にかかる広告配信システムを用いることにより、次のような利用形態が考えられる。ユーザ通信装置２０のディスプレイに表示されている広告コンテンツを複数人が閲覧している場合に、広告主が広告コンテンツを閲覧している複数人に対して、販売したい商品を直接宣伝することにより、疑似対面販売を行うことができる。
【００４３】
（実施の形態５）
続いて、図９を用いて本発明の実施の形態５にかかる広告配信システムの構成例について説明する。広告配信システムは、コンテンツ配信装置１０と、ユーザ通信装置２０と、広告主通信装置３０と、を備えている。また、コンテンツ配信装置１０は、インターネット４２に接続されている。広告主通信装置３０は、移動通信ネットワーク４４に接続されている。ユーザ通信装置２０は、インターネット４２及び移動通信ネットワーク４４に接続されている。
【００４４】
これにより、コンテンツ配信装置１０からユーザ通信装置２０へ配信される広告情報は、インターネット４２を介して配信される。さらに、ユーザ通信装置２０と広告主通信装置３０との間におけるテレビ電話回線は、移動通信ネットワーク４４を介して接続され、移動通信ネットワーク４４を介して、広告コンテンツに関連する詳細情報が、ユーザ通信装置２０へ配信される。
【００４５】
以上説明したように、本発明の実施の形態５にかかる広告配信システムを用いることにより、異なるネットワークを用いて情報の配信を行うことができる。これにより、例えば、広告コンテンツを複数人に同時に配信する場合には、インターネット上で提供されているマルチキャスト通信を利用し、ユーザ通信装置２０と広告主通信装置３０との間の個別通信は、テレビ電話サービスが提供されている移動通信ネットワークを利用するというように、通信の用途に応じて、使用するネットワークを選択することができる。
【００４６】
なお、本発明は上記実施の形態に限られたものではなく、趣旨を逸脱しない範囲で適宜変更することが可能である。
【符号の説明】
【００４７】
１０  コンテンツ配信装置
１１  生成部
１２  配信部
２０  ユーザ通信装置
３０  広告主通信装置
４０  ネットワーク
４２  インターネット
４４  移動通信ネットワーク
【図１】
2011118804.tif 000003
【図２】
2011118804.tif 000004
【図３】
2011118804.tif 000005
【図４】
2011118804.tif 000006
【図５】
2011118804.tif 000007
【図６】
2011118804.tif 000008
【図７】
2011118804.tif 000009
【図８】
2011118804.tif 000010
【図９】
2011118804.tif 000011
【図１０】
2011118804.tif 000012